(57)【特許請求の範囲】
【請求項１】
複数の文書の入力を受け付ける入力受付部と、
語句と、その属性と、を記憶する記憶部と、
前記記憶された属性について、ある属性と他の属性とのリンク関係を設定する設定部と、
前記入力を受け付けられた文書群に含まれる文書のそれぞれについて、当該文書が含む語句のうち、当該語句が前記記憶された語句であり、当該語句の属性に前記リンク関係が設定されているものを抽出する抽出部と、
前記抽出された語句を、当該語句の属性のリンク関係により図示する図示部と、
前記図示された語句を選択する指示入力を受け付ける選択部と、
前記入力を受け付けられた複数の文書のうち、前記選択された語句を含む文書を表示する表示部と、を備える
ことを特徴とする文書表示装置。
【請求項２】
前記図示部は、前記図示される語句の近傍に、前記入力を受け付けられた複数の文書のうち、当該語句を含む文書の数を図示する
ことを特徴とする請求項１に記載の文書表示装置。
【請求項３】
前記図示部は、
前記図示される第１の語句の属性と第２の語句の属性とに前記リンク関係が設定されている場合、当該第１の語句と当該第２の語句との間に、当該リンク関係を図示し、
当該リンク関係の近傍に、前記入力を受け付けられた複数の文書のうち、当該第１の語句と当該第２の語句の両方を含む文書の数を図示し、
前記選択部は、前記図示されたリンク関係を選択する入力を受け付けた場合、当該リンク関係が設定されている語句の両方を選択する入力を受け付けたこととする
ことを特徴とする請求項１または２に記載の文書表示装置。
【請求項４】
前記図示部は、前記リンク関係が方向性を有するリンク関係である場合、当該リンク関係を矢印で図示する
ことを特徴とする請求項３に記載の文書表示装置。
【請求項５】
前記抽出された語句から、いずれか複数を選別する指示を受け付ける指示受付部をさらに備え、
前記図示部は、前記抽出された語句にかえて、前記受け付けられた指示により選別された複数の語句を図示する
ことを特徴とする請求項１から４のいずれか１項に記載の文書表示装置。
【請求項６】
コンピュータが
複数の文書の入力を受け付ける入力受付工程と、
「語句と、その属性とを記憶する記憶部」に記憶された属性について、ある属性と他の属性とのリンク関係を設定する設定工程と、
前記入力を受け付けられた文書群に含まれる文書のそれぞれについて、当該文書が含む語句のうち、当該語句が前記記憶された語句であり、当該語句の属性に前記リンク関係が設定されているものを抽出する抽出工程と、
前記抽出された語句を、当該語句の属性のリンク関係により図示する図示工程と、
前記図示された語句を選択する指示入力を受け付ける選択工程と、
前記入力を受け付けられた複数の文書のうち、前記選択された語句を含む文書を表示する表示工程と、を実行する
ことを特徴とする文書表示方法。
【請求項７】
コンピュータを、
複数の文書の入力を受け付ける入力受付部、
語句と、その属性と、を記憶する記憶部、
前記記憶された属性について、ある属性と他の属性とのリンク関係を設定する設定部、
前記入力を受け付けられた文書群に含まれる文書のそれぞれについて、当該文書が含む語句のうち、当該語句が前記記憶された語句であり、当該語句の属性に前記リンク関係が設定されているものを抽出する抽出部、
前記抽出された語句を、当該語句の属性のリンク関係により図示する図示部、
前記図示された語句を選択する指示入力を受け付ける選択部、および
前記入力を受け付けられた複数の文書のうち、前記選択された語句を含む文書を表示する表示部として機能させる
ことを特徴とするプログラム。
【発明の詳細な説明】
【０００１】
【発明の属する技術分野】
本発明は、文書をそれが含む語句が有する属性のリンク関係によって検索・分類し、ユーザに見やすく提示するのに好適な文書表示装置、文書表示方法、ならびに、これらをコンピュータ上に実現するプログラムに関する。
【０００２】
【従来の技術】
従来から、複数の文書から検索対象となる語句を含む文書を検索する検索エンジンが提供されている。このような検索エンジンでは、所望の語句や当該語句を用いた各種の条件をユーザが入力して指定すると、当該条件を満たす文書を一覧表示して、ユーザが所望の情報を得やすいようにしている。
【０００３】
【発明が解決しようとする課題】
しかしながら、語句そのものではなく、ある属性を有する語句を指定して文書の検索を行いたい場合がある。たとえば、商品名そのものを入力して検索するのではなく、当該商品の種類を入力して検索したい場合である。
【０００４】
このほか、このようにして検索された文書における当該属性を有する語句の関係を図示したい場合がある。たとえば、同じ文書に現れる語句は共起関係にあるが、このような語句をノードとし、共起関係のあるノード同士をアークで接続して、これらのリンク関係を図示するものである。
【０００５】
本発明の目的は、上記の要望を満たすのに好適な文書表示の手法を実現することにある。
【０００６】
【課題を解決するための手段】
上記目的を達成するため、本発明の第１の観点に係る文書表示装置は、入力受付部と、記憶部と、設定部と、抽出部と、図示部と、選択部と、表示部と、を備え、以下のように構成する。
【０００７】
すなわち、入力受付部は、複数の文書の入力を受け付ける。
【０００８】
一方、記憶部は、語句と、その属性と、を記憶する。
【０００９】
さらに、設定部は、前記記憶された属性について、ある属性と他の属性とのリンク関係を設定する。
【００１０】
そして、抽出部は、前記入力を受け付けられた文書群に含まれる文書のそれぞれについて、当該文書が含む語句のうち、当該語句が前記記憶された語句であり、当該語句の属性に前記リンク関係が設定されているものを抽出する。
【００１１】
一方、図示部は、前記抽出された語句を、当該語句の属性のリンク関係により図示する。
【００１２】
さらに、選択部は、前記図示された語句を選択する指示入力を受け付ける。
【００１３】
そして、表示部は、前記入力を受け付けられた複数の文書のうち、前記選択された語句を含む文書を表示する。
【００１４】
本発明により、ある属性を有する語句を含む文書を検索し、得られた複数の語句から所望の語句を選択することにより、所望の文書を表示することができるようになる。
【００１５】
また、本発明の文書表示装置は、以下のように構成することができる。
【００１６】
すなわち、前記図示部は、前記図示される語句の近傍に、前記入力を受け付けられた複数の文書のうち、当該語句を含む文書の数を図示する。
【００１７】
本発明により、当該語句を含む文書の数をユーザが容易に知得できるようになり、所望の文書を得るための目安を知ることができる。
【００１８】
また、本発明の文書表示装置は、以下のように構成することができる。
【００１９】
すなわち、前記図示部は、前記図示される第１の語句の属性と第２の語句の属性とに前記リンク関係が設定されている場合、当該第１の語句と当該第２の語句との間に、当該リンク関係を図示する。
【００２０】
さらに、当該リンク関係の近傍に、前記入力を受け付けられた複数の文書のうち、当該第１の語句と当該第２の語句の両方を含む文書の数を図示する。
【００２１】
そして、前記選択部は、前記図示されたリンク関係を選択する入力を受け付けた場合、当該リンク関係が設定されている語句の両方を選択する入力を受け付けたこととする。
【００２２】
本発明により、２つの語句を含む文書の数をユーザが容易に知得できるようになり、所望の文書を得るための目安を知ることができる。
【００２３】
また、本発明の文書表示装置は、以下のように構成することができる。
【００２４】
すなわち、前記図示部は、前記リンク関係が方向性を有するリンク関係である場合、当該リンク関係を矢印で図示する。
【００２５】
本発明により、語句同士のリンク関係をユーザが容易に知得できるようになる。
【００２６】
また、本発明の文書表示装置は、指示受付部をさらに備え、以下のように構成することができる。
【００２７】
すなわち、前記指示受付部は、前記抽出された語句から、いずれか複数を選別する指示を受け付ける。
【００２８】
さらに、前記図示部は、前記抽出された語句にかえて、前記受け付けられた指示により選別された複数の語句を図示する。
【００２９】
本発明により、ある属性を有する語句のうち、複数の文書のいずれかに出現する語句をまず検索し、その中から所望の語句を検索して、処理する文書の対象を絞り込むことができる。
【００３０】
本発明の第２の観点に係る文書表示方法は、入力受付工程と、設定工程と、抽出工程と、図示工程と、選択工程と、表示工程と、を備え、以下のように構成する。
【００３１】
すなわち、前記入力受付工程では、複数の文書の入力を受け付ける。
【００３２】
一方、前記設定工程では、「語句と、その属性とを記憶する記憶部」に記憶された属性について、ある属性と他の属性とのリンク関係を設定する。
【００３３】
さらに、前記抽出工程では、前記入力を受け付けられた文書群に含まれる文書のそれぞれについて、当該文書が含む語句のうち、当該語句が前記記憶された語句であり、当該語句の属性に前記リンク関係が設定されているものを抽出する。
【００３４】
そして、前記図示工程では、前記抽出された語句を、当該語句の属性のリンク関係により図示する。
【００３５】
一方、前記選択工程では、前記図示された語句を選択する指示入力を受け付ける。
【００３６】
さらに、前記表示工程では、前記入力を受け付けられた複数の文書のうち、前記選択された語句を含む文書を表示する。
【００３７】
また、本発明の文書表示方法は、以下のように構成することができる。
【００３８】
すなわち、前記図示工程では、前記図示される語句の近傍に、前記入力を受け付けられた複数の文書のうち、当該語句を含む文書の数を図示する。
【００３９】
また、本発明の文書表示方法は、以下のように構成することができる。
【００４０】
すなわち、前記図示工程では、前記図示される第１の語句の属性と第２の語句の属性とに前記リンク関係が設定されている場合、当該第１の語句と当該第２の語句との間に、当該リンク関係を図示する。
【００４１】
さらに、当該リンク関係の近傍に、前記入力を受け付けられた複数の文書のうち、当該第１の語句と当該第２の語句の両方を含む文書の数を図示する。
【００４２】
そして、前記選択工程では、前記図示されたリンク関係を選択する入力を受け付けた場合、当該リンク関係が設定されている語句の両方を選択する入力を受け付けたこととする。
【００４３】
また、本発明の文書表示方法は、以下のように構成することができる。
【００４４】
すなわち、前記図示工程では、前記リンク関係が方向性を有するリンク関係である場合、当該リンク関係を矢印で図示する。
【００４５】
また、本発明の文書表示方法は、指示受付工程をさらに備え、以下のように構成することができる。
【００４６】
すなわち、前記指示受付工程では、前記抽出された語句から、いずれか複数を選別する指示を受け付ける。
【００４７】
さらに、前記図示工程では、前記抽出された語句にかえて、前記受け付けられた指示により選別された複数の語句を図示する。
【００４８】
本発明の第３の観点に係るプログラムは、コンピュータを上記文書表示装置として機能させるように構成する。
【００４９】
当該プログラムをコンピュータに実行させると、当該コンピュータは、上記文書表示方法を使用することとなる。
【００５０】
当該プログラムは、コンピュータ読取可能な記録媒体に記録することができるほか、コンピュータ通信網を介して配布することができる。
【００５１】
【発明の実施の形態】
以下、添付図面を参照して、本発明の実施の形態について説明する。
【００５２】
（情報処理装置の概要構成）
図１は、本発明の文書表示装置として機能する典型的な情報処理装置（汎用のコンピュータ、各種端末、携帯端末、携帯電話、ゲーム装置などの専用機器を含む）の概要構成を示す模式図である。以下、図１を参照して説明する。
【００５３】
情報処理装置１０１は、ＣＰＵ（Central Processing Unit；中央処理ユニット）１０２によって制御される。情報処理装置１０１に電源を投入すると、ＣＰＵ１０２は、ＲＯＭ（Read Only Memory；読出専用メモリ）１０３に記憶されたＩＰＬ（Initial Program Loader；初期プログラムローダ）を実行する。
【００５４】
ＩＰＬは、ハードディスク１０４、ＦＤ（Floppy Disk；フロッピーディスク）ドライブ１１０に装着されたＦＤ、ＣＤ−ＲＯＭ（Compact Disk ROM）ドライブ１１１に装着されたＣＤ−ＲＯＭなどの記録媒体に記憶されたＯＳ（Operating System；オペレーティング・システム）プログラムを読み出して実行するプログラムである。
【００５５】
ＯＳを起動した後、ＣＰＵ１０２は、キーボード１０５やマウス１０６などにより入力されたユーザの指示にしたがって、あるいは、ハードディスクなどにあらかじめ記述された設定ファイルの内容にしたがって、ハードディスクなどに記憶されたアプリケーションプログラムを実行する。
【００５６】
なお、携帯端末などの小規模な情報処理装置では、ＩＰＬ自体がＯＳやアプリケーションプログラムとしての機能を果たすような実施形態も採用することができる。
【００５７】
ＣＰＵ１０２は、プログラムの実行の際に、ＲＡＭ（Random Access Memory）１０７を一時的な作業用記憶領域として用いる。このほか、一時的な作業用記憶領域として、ＣＰＵ１０２内に設けられたレジスタやキャッシュ（図示せず）が使われる。
【００５８】
プログラムの実行に伴ない、ユーザに結果を報告したり、途中経過を見せるため、ＣＰＵ１０２は、液晶ディスプレイやＣＲＴ（Cathode Ray Tube）などの表示装置１０８に当該情報を表示することができる。マウス１０６による指示操作では、マウス１０６を移動することにより、画面に表示されたカーソルが移動し、マウス１０６をクリックすることにより、カーソルが指すメニュー項目を選択することができる。
【００５９】
情報処理装置１０１は、ＮＩＣ（Network Interface Card）やモデムなどのインターフェース１０９を介してインターネットなどのコンピュータ通信網と通信を行うことができる。インターフェース１０９を介して受信した文書データを処理の対象としたり、処理した結果をインターフェース１０９を介して送信したり、インターフェース１０９を介して受信したプログラムを実行したり、などができる。
【００６０】
（文書の検索の実施形態）
本発明では、文書をあらかじめ、もしくは、ユーザが指定した検索条件にしたがって、分類しておくことが望ましい。また、分類結果を一覧表示する際には、文書の内容を、検索・分類条件に合わせて要約することが望ましい。以下では、そのような、文書の検索・分類のための、文書の要約の手法について、まず述べる。
【００６１】
図２は、文書の要約を行う要約装置の実施形態の一つの概要構成を示す模式図である。当該要約装置は、上記情報処理装置にプログラムを実行させることにより、その上に実現される。以下、本図を参照して説明する。
【００６２】
要約装置２０１は、まず、形態素列入力受付部２０２と、要素記憶部２０３と、テンプレート記憶部２０４と、要素検索部２０５と、要約生成部２０６と、を備える。
【００６３】
形態素列入力受付部２０２は、形態素列の入力を受け付ける。この形態素列が、要約の対象となる文書の形態素列である。
【００６４】
一方、要素記憶部２０３は、要素として認定されるべき形態素列と、当該要素の属性と、をあらかじめ記憶する。たとえば、以下のような形態素列が、要素記憶部２０３に記憶されている。
・「セガ」（属性「発売元」）
・「ドリームキャスト」（属性「商品」）
【００６５】
さらに、テンプレート記憶部２０４は、記憶された属性の列と、当該属性の列の間に埋め込む文字列の情報と、を含むテンプレートを記憶する。たとえば、以下のようなテンプレートが、テンプレート記憶部２０４に記憶されている。
「『発売元』が『商品』を発売した。」
【００６６】
なお、二重かぎ括弧内が要素の属性に対応し、「が」「を発売した。」が埋め込む文字列の情報に対応する。
【００６７】
そして、要素検索部２０５は、入力を受け付けられた形態素列から、記憶された要素を検索し、当該検索結果の要素を列として出力する。
【００６８】
たとえば、以下のような形態素列が入力された場合を考える。各形態素は、「／」で区切ってある。
「セガ／が／新し／い／ゲーム機／の／発売／を／発表／し／た／。／ゲーム機／の／名前／は／『／ドリームキャスト／』／。／年内／の／出荷／は／１００／万／台／を／見込／ん／で／い／る／。／」
【００６９】
すると、要素検索部２０５は、以下のような要素の列を出力する。
「セガ」（発売元）、「ドリームキャスト」（商品）
【００７０】
なお、かぎ括弧内が要素となる形態素列、丸括弧内が要素の属性に対応する。
【００７１】
一方、要約生成部２０６は、検索結果の要素の列から当該要素の属性の列を取得し、記憶されたテンプレートのうち、当該要素の属性の列を含むものを用いて、当該検索された属性の列のそれぞれに対応する要素に対応する形態素列の間に、当該テンプレートが含む文字列の情報を埋め込んで、要約を生成する。
【００７２】
これにより、以下のような要約が生成される。
「セガがドリームキャストを発売した。」
【００７３】
従来の手法では、複数の文にまたがる情報を要約することができなかったが、このように、本手法では、文書内の情報を複数の文にまたがって要約することが可能である。
【００７４】
このほか、要約装置２０１は、文入力受付部２１１と、形態素解析部２１２と、をさらに備えている。
【００７５】
ここで、文入力受付部２１１は、１つ以上の文の入力を受け付ける。一方、形態素解析部２１２は、入力を受け付けられた文を、形態素解析し、解析結果の形態素列を出力する。
【００７６】
さらに、形態素列入力受付部２０２は、出力された形態素列を入力として受け付ける。
【００７７】
これらが機能することにより、以下のような文書情報が与えられた場合であっても、これを自動的に要約装置２０１内で形態素列に変換して処理することができる。
「セガが新しいゲーム機の発売を発表した。ゲーム機の名前は『ドリームキャスト』。年内の出荷は１００万台を見込んでいる。」
【００７８】
また、要約装置２０１は、要約抽出部２２１をさらに備えている。
【００７９】
要約抽出部２２１は、入力を受け付けられた１つ以上の文のうち、検索結果の要素の列を含む文を抽出して、これを要約として出力する。
【００８０】
上記の例では、以下の２文が抽出された要約となる。
「セガが新しいゲーム機の発売を発表した。ゲーム機の名前は『ドリームキャスト』。」
【００８１】
また、要約装置２０１は、指定入力受付部２３１と、出力部２３２と、をさらに備え、以下のように構成することができる。
【００８２】
すなわち、指定入力受付部２３１は、要約手法の指定の入力を受け付ける。
【００８３】
一方、出力部２３２は、入力を受け付けられた要約手法の指定が第１の手法である場合、要約生成部２０６により生成された要約を出力し、第２の手法である場合、要約抽出部２２１により抽出された要約を出力する。
【００８４】
これにより、ユーザが要約の手法を選択できるようになる。
【００８５】
また、要約装置２０１は、属性入力受付部２４１をさらに備え、以下のように構成することができる。
【００８６】
すなわち、属性入力受付部２４１は、要約すべき要素の属性の入力を受け付ける。
【００８７】
一方、要素検索部２０５は、入力を受け付けられた要素の属性を有する形態素列を検索する。
【００８８】
さらに、要約生成部２０６は、記憶されたテンプレートのうち、さらに入力を受け付けられた要素の属性を含むものを用いる。
【００８９】
このほか、要約抽出部２２１も、当該属性の要素を含む文を抽出する。
【００９０】
あらかじめ、多数の要素、形態素やテンプレートを用意しておき、ユーザの指定によって、使用するテンプレートを選択して、ユーザが指定した属性の要素の形態素列を取得して、要約を行う。
【００９１】
これにより、ユーザが適宜所望の要素の属性を指定できるようになる。
【００９２】
なお、要素としては、上記のように要素記憶部２０３に記憶されているもののほか、「値段」「時刻」「日付」「地名」などに相当する形態素列を要素として認識させてもよい。これらを「個体名」と呼ぶ。上記入力例では、「年内」（時期）「１００万台」（台数）等が個体名である。
【００９３】
このようにして、要素の属性に基づいて、文書を要約することができる。また、要素に基づいて、属性ごとに文書を分類することができる。
【００９４】
（発明の実施形態）
図３は、本発明の文書表示装置の実施形態の一つの概要構成を示す模式図である。当該文書表示装置は、上記情報処理装置にプログラムを実行させることにより、その上に実現される。以下、本図を参照して説明する。
【００９５】
本実施形態の文書表示装置３０１は、入力受付部３０２と、記憶部３０３と、設定部３０４と、抽出部３０５と、図示部３０６と、選択部３０７と、表示部３０８と、を備える。
【００９６】
すなわち、入力受付部３０２は、複数の文書の入力を受け付ける。たとえば、インターネットに存在する文書や、ＣＤ−ＲＯＭ・ハードディスク等に書き込まれた文書の入力を受け付ける。
【００９７】
一方、記憶部３０３は、語句と、その属性と、を対応付けて記憶する。これにより、文書中に含まれる語句の属性を得ることができる。上記要約装置２０１の「形態素列」が「語句」に、「要素の属性」が「属性」に、それぞれ対応する。したがって、上記要約装置２０１の要素記憶部２０３と、この記憶部３０３とは、共用することができる。
【００９８】
さらに、設定部３０４は、記憶された属性について、ある属性と他の属性とのリンク関係を設定する。
【００９９】
リンク関係の設定には、図４から図６に示す指定ダイアログを用いる。
【０１００】
図４に示す指定ダイアログでは、単方向のリンク関係を設定することができる。リンク元ダイアログリストには、「商品名」「組織名」「地域名」「自然名」「施設名」「人物名」という属性が表示されている。ここで、「組織名」が強調表示されているが、これは、リンク関係のリンク元を「組織名」としていることを意味する。
【０１０１】
一方、リンク先リストには、すでにリンク関係が設定されている属性として「人物名」「商品名」が表示されている。すなわち、リンク関係として「組織名→人物名」「組織名→商品名」が設定されることになる。
【０１０２】
そして、使用可能リストには、まだリンク関係が設定されていない属性が表示されている。
【０１０３】
使用可能リストにリンク先として追加したいものがある場合は、ユーザは、マウス１０６で当該属性をクリックして選択し、さらに、追加ボタンをクリックする。すると、当該属性の表示がリンク先リストに移動する。
【０１０４】
一方、リンク先リストにリンク先リストから削除したいものがある場合は、マウス１０６で当該属性をクリックして選択し、さらに、削除ボタンをクリックする。すると、当該属性の表示が使用可能リストに移動する。
【０１０５】
所望のリンク関係が設定し終わったら、設定保存ボタンをクリックする。この操作は、以下の指定ダイアログでも同様である。
【０１０６】
図５に示す指定ダイアログでは、双方向のリンク関係を設定することができる。リンクリストで、双方向にリンクしたい属性をマウス１０６でクリックして選択すれば、当該属性同士が双方向にリンクされる。
【０１０７】
図では、「商品名」「組織名」「人物名」が選択されているため、「商品名→組織名」「商品名→人物名」「組織名→商品名」「組織名→人物名」「人物名→商品名」「人物名→組織名」という６通りのリンク関係が設定されることになる。
【０１０８】
図６に示す指定ダイアログでは、多重リンク関係を設定することができる。リンクリストには、最初の属性として地域名が、２番目の属性として組織名が、３番目の属性として人物名もしくは商品名が、４番目の属性として「３番目が人物名の場合は組織名が」「３番目が商品名の場合は価格」が、５番目の属性として「４番目が組織名の場合は商品名」が、それぞれ表示されており、これらの樹状のリンク関係を設定することができる。
【０１０９】
このようにして、各種の指定ダイアログを用いてリンク関係が設定できるほか、あらかじめ定めたリンク関係を設定してもよい。
【０１１０】
そして、抽出部３０５は、入力を受け付けられた文書群に含まれる文書のそれぞれについて、当該文書が含む語句のうち、当該語句が記憶された語句であり、当該語句の属性にリンク関係が設定されているものを抽出する。
【０１１１】
一方、図示部３０６は、抽出された語句を、当該語句の属性のリンク関係により図示する。
【０１１２】
この際に、ユーザが設定したリンク関係が樹状に構成されている場合は、図７に、示すような樹状図示のほか、たとえばWindowsのExplorerで採用されているような樹状図示を用いて語句をノードとして図示し、リンク関係がある語句のノード同士の間に矢印を引いて図示することができる。
【０１１３】
一方、ユーザが設定したリンク関係がネットワーク状に構成されている場合（すなわち、リンクを有向アークとし、語句をノードとした有向グラフに強連結成分が存在する場合）、図示の様子もネットワーク状になる。図８に、図示部３０６におけるネットワーク状図示の例を示す。
【０１１４】
さらに、各語句のノードの近傍に、当該語句を含む文書の数を付加情報として図示すれば（図８には図示せず。）、ユーザが所望の文書を得るための付加情報を提示することができる。
【０１１５】
さらに、選択部３０７は、図示された語句を選択する指示入力を受け付ける。語句の選択には、マウス１０６を用いて当該語句をクリックするなどの手法を採用する。
【０１１６】
そして、表示部３０８は、入力を受け付けられた複数の文書のうち、選択された語句を含む文書を表示する。
【０１１７】
この際には、要約装置２０１にて要約した文書の内容を用いて一覧表示をすると、ユーザの興味に応じた文書の一覧を容易に作成することができる。
【０１１８】
このほか、図示部３０６では、ノード同士の間のリンク関係の矢印の近傍にも、当該ノードの語句を両方とも含む文書の数を表示し、当該ノードをマウス１０６でクリックした場合は、当該両ノードが選択されたものとして、選択部３０７を構成することができる。
【０１１９】
また、選択部３０７では、キーボード１０５のコントロールキーを押しながらマウス１０６で語句をクリックすることにより、複数の語句を選択することができる。複数の語句を選択した場合は、表示部３０８は、当該語句をすべて含む文書を表示する。
【０１２０】
このようにして、共起リンク関係を基に、文書を検索・分類・整理して所望の文書を得ることができる。
【０１２１】
（その他の実施形態）
上記実施形態では、文書が含む語句のすべてについてリンク情報を図示部３０６に表示していたが、本実施形態では、あらかじめ語句を絞り込む。図９は、本実施形態の文書表示装置３０１の概要構成を示す模式図である。
【０１２２】
本実施形態の文書表示装置３０１は、指示受付部３０９をさらに備える。
【０１２３】
指示受付部３０９は、抽出された語句から、いずれか複数を選別する指示を受け付ける。
【０１２４】
ユーザは、複数の文書中に含まれる語句から所望の語句を選別する。従来の検索エンジンと大きく異なる点がここにある。
【０１２５】
従来の検索エンジンでは、語句を直接ユーザが指定する必要があり、当該語句の属性しかわからない場合は、文書を検索することはできなかった。本手法では、語句の属性から所望の語句を選別することができる。
【０１２６】
さらに、図示部３０６は、抽出された語句にかえて、受け付けられた指示により選別された複数の語句を図示する。
【０１２７】
このようにして、ある属性を有する語句のうち、複数の文書のいずれかに出現する語句をまず検索し、その中から所望の語句を検索して、処理する文書の対象を絞り込むことができる。
【０１２８】
なお、「セガ」は登録商標である。
【０１２９】
【発明の効果】
以上説明したように、本発明によれば、文書をそれが含む語句が有する属性のリンク関係によって検索・分類し、ユーザに見やすく提示するのに好適な文書表示装置、文書表示方法、ならびに、これらをコンピュータ上に実現するプログラムを提供することができる。
【図面の簡単な説明】
【図１】  本発明の文書表示装置として機能する典型的な情報処理装置の概要構成を示す模式図である。
【図２】  本発明の文書表示装置において利用される要約装置の概要構成を示す模式図である。
【図３】  本発明の文書表示装置の実施形態の一つの概要構成を示す模式図である。
【図４】  設定部で用いる指定ダイアログの外観を示す図である。
【図５】  設定部で用いる指定ダイアログの外観を示す図である。
【図６】  設定部で用いる指定ダイアログの外観を示す図である。
【図７】  図示部における樹状図示の例を示す。
【図８】  図示部におけるネットワーク状図示の例を示す。
【図９】  本発明の文書表示装置の他の実施形態の概要構成を示す模式図である。
【符号の説明】
１０１  情報処理装置
１０２  ＣＰＵ
１０３  ＲＯＭ
１０４  ハードディスク
１０５  キーボード
１０６  マウス
１０７  ＲＡＭ
１０８  表示装置
１０９  インターフェース
１１０  ＦＤドライブ
１１１  ＣＤ−ＲＯＭドライブ
２０１  要約装置
２０２  形態素列入力受付部
２０３  要素記憶部
２０４  テンプレート記憶部
２０５  要素検索部
２０６  要約生成部
２１１  文入力受付部
２１２  形態素解析部
２２１  要約抽出部
２３１  指定入力受付部
２３２  出力部
２４１  属性入力受付部
３０１  文書表示装置
３０２  入力受付部
３０３  記憶部
３０４  設定部
３０５  抽出部
３０６  図示部
３０７  選択部
３０８  表示部
３０９  指示受付部
【図１】
0004617015.tif 000002
【図２】
0004617015.tif 000003
【図３】
0004617015.tif 000004
【図４】
0004617015.tif 000005
【図５】
0004617015.tif 000006
【図６】
0004617015.tif 000007
【図７】
0004617015.tif 000008
【図８】
0004617015.tif 000009
【図９】
0004617015.tif 000010